(57)【特許請求の範囲】
【請求項１】
それぞれ対応する交流電源から交流電力が入力される複数の入力用ブレーカと、
出力用ブレーカと、
前記複数の入力用ブレーカの各々が有する２次側端子と前記出力用ブレーカが有する１次側端子との間に電気的に接続された導電バーと、
前面が開口した箱型であって内部に前記複数の入力用ブレーカと前記出力用ブレーカと前記導電バーとを収納するキャビネットとを備え、
前記導電バーは、前記複数の入力用ブレーカの各々が有する２次側端子に電気的に接続される導電部材と、前記出力用ブレーカが有する１次側端子との間に電気的に接続され、
前記導電部材は、単相３線式配線のＬ１相の電圧線に電気的に接続されるＬ１相用導電部材と、単相３線式配線のＬ２相の電圧線に電気的に接続されるＬ２相用導電部材と、単相３線式配線の中性線に電気的に接続される中性線用導電部材とを含み、
前記導電バーは、単相３線式配線のＬ１相の電圧線に前記Ｌ１相用導電部材を介して接続される第１導電バーと、単相３線式配線のＬ２相の電圧線に前記Ｌ２相用導電部材を介して接続される第２導電バーと、単相３線式配線の中性線に前記中性線用導電部材を介して接続される第３導電バーとを含み、
前記開口から前記キャビネットの内部を見た場合に、前記第３導電バーが、前記第１導電バーの一部及び前記第２導電バーの一部とそれぞれ重なり、かつ、前記第３導電バーが、前記第１導電バー及び前記第２導電バーよりも前記開口に近い位置に配置されるように、前記導電バーが前記キャビネットの内部に配置されたことを特徴とする集電箱。
【請求項２】
前記開口から前記キャビネットの内部を見た場合に、前記第１導電バーと前記第２導電バーの間に前記第３導電バーが位置するように、前記導電バーが前記キャビネットの内部に配置されたことを特徴とする請求項１に記載の集電箱。
【請求項３】
前記開口から前記キャビネットの内部を見た場合に、前記第１導電バー、前記第２導電バー及び前記第３導電バーの各々を部分的又は全体的に覆うカバーを更に備えたことを特徴とする請求項１又は２に記載の集電箱。
【発明の詳細な説明】
【技術分野】
【０００１】
本発明は、集電箱に関し、より詳細には、複数の電源から入力される電力を集約して外部に出力する集電箱に関する。
【背景技術】
【０００２】
従来、商用電源が接続される商用電源用ブレーカと、分散型電源が接続される連系用ブレーカとを箱体に収納した配線装置が提案されている（例えば特許文献１参照）。この配線装置では、箱体の内部に、帯板状の３本の導電バーが互いに並行するようにして取り付けられている。３本の導電バーに対して商用電源用ブレーカと連系用ブレーカとが電気的に接続されており、商用電源用ブレーカと連系用ブレーカとは導電バーの長手方向に並ぶように配置されている。なお、単相３線式のＡＣ１００Ｖ／２００Ｖ配線の場合、配線装置は、２本の電圧線と中性線とにそれぞれ接続される３本の導電バーを備える。
【先行技術文献】
【特許文献】
【０００３】
【特許文献１】特開２００３−３７９４０号公報
【発明の概要】
【発明が解決しようとする課題】
【０００４】
特許文献１に記載された配線装置では、３本の導電バーが互いに並行するように配置されているが、メンテナンス時などに、電流が流れている導電バーに作業員が触れにくくすることが求められている。
【０００５】
本発明は上記課題に鑑みてなされ、電流が流れている導電部材に触れにくい集電箱を提供することを目的とする。
【課題を解決するための手段】
【０００６】
本発明の集電箱は、それぞれ対応する交流電源から交流電力が入力される複数の入力用ブレーカと、出力用ブレーカと、前記複数の入力用ブレーカの各々が有する２次側端子と前記出力用ブレーカが有する１次側端子との間に電気的に接続された導電バーと、前面が開口した箱型であって内部に前記複数の入力用ブレーカと前記出力用ブレーカと前記導電バーとを収納するキャビネットとを備え、前記導電バーは、前記複数の入力用ブレーカの各々が有する２次側端子に電気的に接続される導電部材と、前記出力用ブレーカが有する１次側端子との間に電気的に接続され、前記導電部材は、単相３線式配線のＬ１相の電圧線に電気的に接続されるＬ１相用導電部材と、単相３線式配線のＬ２相の電圧線に電気的に接続されるＬ２相用導電部材と、単相３線式配線の中性線に電気的に接続される中性線用導電部材とを含み、前記導電バーは、単相３線式配線のＬ１相の電圧線に前記Ｌ１相用導電部材を介して接続される第１導電バーと、単相３線式配線のＬ２相の電圧線に前記Ｌ２相用導電部材を介して接続される第２導電バーと、単相３線式配線の中性線に前記中性線用導電部材を介して接続される第３導電バーとを含み、前記開口から前記キャビネットの内部を見た場合に、前記第３導電バーが、前記第１導電バーの一部及び前記第２導電バーの一部とそれぞれ重なり、かつ、前記第３導電バーが、前記第１導電バー及び前記第２導電バーよりも前記開口に近い位置に配置されるように、前記導電バーが前記キャビネットの内部に配置されたことを特徴とする。
【発明の効果】
【０００７】
本発明によれば、電流が流れている導電部材に触れにくい集電箱を提供することができる。
【図面の簡単な説明】
【０００８】
【図１】実施形態の集電箱を用いた全体システムの概略的なブロック図である。
【図２】実施形態の集電箱を示し、前扉が外されたキャビネットの正面図である。
【図３】実施形態の集電箱が備える第１導電部材の外観斜視図である。
【図４】実施形態の集電箱を示し、図２におけるＡ１−Ａ１断面図である。
【図５】実施形態の集電箱を示し、図２におけるＢ１−Ｂ１断面図である。
【図６】実施形態の集電箱が備える第２導電部材の側面図である。
【図７】実施形態の集電箱の変形例を示し、前扉が外されたキャビネットの正面図である。
【図８】実施形態の集電箱の変形例を示し、図７におけるＣ１−Ｃ１断面図である。
【図９】実施形態の集電箱の変形例に用いられるカバーが折り曲げられる前の状態の平面図である。
【発明を実施するための形態】
【０００９】
以下、本実施形態に係る集電箱について図面を参照して説明する。ただし、以下に説明する構成は本発明の一例にすぎない。本発明は、以下の実施形態に限定されず、本発明に係る技術的思想を逸脱しない範囲であれば、設計等に応じて種々の変更が可能である。
【００１０】
図１は本実施形態の集電箱１を用いた太陽光発電システムのシステム構成図である。図２は前扉が外された状態の集電箱１の正面図である。なお、以下の説明では、集電箱１が施工場所（例えば建物の外壁など）に設置された状態での上下左右を上下左右として説明を行う。すなわち、図２のＸ軸方向を前後方向、図２のＹ軸方向を左右方向とし、図２のＺ軸方向を前後方向として説明するが、集電箱１を取り付ける向きを上記の方向に限定する趣旨ではない。
【００１１】
本実施形態の集電箱１は、図１に示すように、複数の入力用ブレーカ１０と、出力用ブレーカ２０と、導電部材３０とを備えている。本実施形態では導電部材３０が、入力用ブレーカ１０に直接接続される第１導電部材４０と、この第１導電部材４０と出力用ブレーカ２０との間を電気的に接続する第２導電部材５０とで構成されている（図２参照）。
【００１２】
本実施形態の集電箱１は単相３線式のＡＣ１００Ｖ／２００Ｖ配線に用いられる。第１導電部材４０は、図２及び図３に示すように、単相３線式配線のＬ１相の電圧線に電気的に接続される導電バー４１と、Ｌ２相の電圧線に電気的に接続される導電バー４２と、中性線に電気的に接続される導電バー４３とで構成される。また、第２導電部材５０は、図２に示すように第１導電バー５１と第２導電バー５２と第３導電バー５３とで構成される。第１導電バー（以下、導電バーと記載する。）５１は、単相３線式配線のＬ１相の電圧線に電気的に接続される。第２導電バー（以下、導電バーと記載する。）５２は、単相３線式配線のＬ２相の電圧線に電気的に接続される。第３導電バー（以下、導電バーと記載する。）５３は、単相３線式配線の中性線に電気的に接続される。本実施形態では、導電バー４１，５１がＬ１相に接続され、導電バー４２，５２がＬ２相に接続されているが、導電バー４１，５１がＬ２相に接続され、導電バー４２，５２がＬ１相に接続されてもよい。導電部材３０は、第１導電部材４０と第２導電部材５０とが一体化された導電部材でもよい。すなわち、導電バー４１と導電バー５１、導電バー４２と導電バー５２、導電バー４３と導電バー５３が、それぞれ一体化されてもよい。
【００１３】
本実施形態の集電箱１では、複数ある入力用ブレーカ１０の各々に分散型電源１００が接続されている。分散型電源１００は交流電力を出力する分散型の電源であり、例えば太陽電池モジュール１０１と、太陽電池モジュール１０１によって発電された直流電力を交流電力に変換するパワーコンディショナ１０２とを有する。太陽電池モジュール１０１で発電された直流電力はパワーコンディショナ１０２によって交流電力に変換されて、対応する入力用ブレーカ１０の１次側端子１１に入力される。各入力用ブレーカ１０は、１次側端子１１に入力された交流電力を、２次側端子１２に接続された導電部材３０を介して出力用ブレーカ２０の１次側端子２１に出力する。出力用ブレーカ２０は、１次側端子２１に入力された交流電力を、２次側端子２２に接続された電線２０１を介して例えば交流電力系統に出力する。
【００１４】
このように、本実施形態の集電箱１は、複数の分散型電源１００から入力用ブレーカ１０を介して入力された交流電力を集約し、出力用ブレーカ２０を介して外部に出力するために使用される。これにより、集電箱１に接続された複数の分散型電源１００を系統電源と連系させたり、集電箱１に接続された複数の分散型電源１００で発電された電力を電力会社に売電したりすることができる。なお、本実施形態では集電箱１に入力用ブレーカ１０が５つ収納されているが、入力用ブレーカ１０の数は５つに限定されず、設計などに応じて適宜変更が可能である。
【００１５】
以下、集電箱１を構成する各構成要素について説明する。
【００１６】
複数の入力用ブレーカ１０の各々は、分散型電源１００からの電線１０３が電気的に接続される１次側端子１１（図２参照）と、導電部材３０（第１導電部材４０）に電気的に接続される差し込み式の２次側端子１２（図４参照）とを有する。また、複数の入力用ブレーカ１０の各々はハンドル１３とケース１４とを更に有している。なお図２では、一部の入力用ブレーカ１０の１次側端子１１に接続される電線１０３の図示を省略している。
【００１７】
ケース１４は、絶縁性を有する合成樹脂の樹脂成形品であり、平面視の形状が長方形状である箱型に形成されている。
【００１８】
ケース１４の内部には、１次側端子１１と２次側端子１２との間に電気的に接続された接点が収納されており、ハンドル１３の操作に応じて接点のオン／オフが切り替えられる。入力用ブレーカ１０は、例えば、過電流（短絡電流や過負荷電流など）が流れたときに回路を保護する過電流保護機能を備えた回路遮断器である。なお、入力用ブレーカ１０は、過電流保護機能に加えて漏洩電流に対する保護機能を備えた漏電遮断器でもよい。
【００１９】
ケース１４の長手方向における一端側には、１次側端子１１を構成する３極のネジ端子が短手方向に並べて配置されている。ケース１４の長手方向における他端側の端面には、３つの挿入溝１５が、前後方向（ケース１４の高さ方向）においてほぼ一定のピッチで設けられている。ケース１４の内部には、３つの挿入溝１５の各々に対応する位置に差込み式の２次側端子１２が収納されている。３つの挿入溝１５の各々に、板状又は棒状の第１導電部材４０が挿入されると、２次側端子１２が第１導電部材４０を両側から挟むことによって、２次側端子１２が第１導電部材４０に電気的に接続される。
【００２０】
出力用ブレーカ２０は、導電部材３０（第２導電部材５０）が電気的に接続される１次側端子２１と、出力用の電線２０１が電気的に接続される２次側端子２２とを有する。また、出力用ブレーカ２０はハンドル２３とケース２４とを更に有している。なお、出力用ブレーカ２０の２次側端子２２は、例えば売電用の電力量計を介して系統電源に接続される。
【００２１】
ケース２４は、絶縁性を有する合成樹脂の樹脂成形品であり、平面視の形状が長方形状である箱型に形成されている。
【００２２】
ケース２４の内部には、１次側端子２１と２次側端子２２との間に電気的に接続された接点が収納されており、ハンドル２３の操作に応じて接点のオン／オフが切り替えられる。出力用ブレーカ２０は、例えば、過電流保護機能を備えた回路遮断器である。なお、出力用ブレーカ２０は、過電流保護機能に加えて漏洩電流に対する保護機能を備えた漏電遮断器でもよい。
【００２３】
ケース２４の長手方向における一端側（施工状態における上側）には、１次側端子２１を構成する３極のネジ端子が短手方向に並べて配置されている。本実施形態では、１次側端子２１を構成する３極のネジ端子は、前後方向においてほぼ同じ位置に配置されている。ケース２４の長手方向における他端側（施工状態における下側）には、２次側端子２２を構成する３極のネジ端子が短手方向に並べて配置されている。
【００２４】
キャビネット６０は、縦長の矩形板状の背板６１と、背板６１の周縁から前方に突出する側壁とを有し、前面のほぼ全体に開口６８が設けられた箱形に形成されている。キャビネット６０の前面には前扉が開閉自在に取り付けられており、前扉を閉じた状態ではキャビネット６０の前面の開口６８が閉塞される。キャビネット６０の側壁のうち、キャビネット６０が施工場所に設置された状態で下側となる側壁には、電線を通すための通線用の貫通孔が左右に１箇所ずつ設けられている。
【００２５】
キャビネット６０の背板６１には、それぞれ長尺の金属板からなる２本の縦桟６２が、背板６１の左右両側に取り付けられている。２本の縦桟６２は、縦桟６２の長手方向が背板６１の長手方向（施工状態における上下方向）とほぼ平行になるように、背板６１に取り付けられている。
【００２６】
２本の縦桟６２の上側には、２本の縦桟６２の間に架け渡すようにして２本の横桟６３が取り付けられている。２本の横桟６３は上下に間隔をあけて配置されており、２本の横桟６３に架け渡されるように支持板６４が固定されている。支持板６４は、縦方向の寸法に比べて横方向の寸法の方が大きい矩形の金属板であり、縦桟６２の長手方向と支持板６４の短手方向がほぼ平行になるように横桟６３に固定されている。支持板６４には、複数の入力用ブレーカ１０が取り付けられる取付台６５が固定されている。
【００２７】
２本の縦桟６２の下側には、２本の縦桟６２の間に架け渡すようにして支持板６６が取り付けられている。この支持板６６には、出力用ブレーカ２０が取り付けられる取付板６７がネジ止めなどの方法で固定されている。本実施形態では取付板６７の右側に出力用ブレーカ２０が取り付けられており、取付板６７の左側の空きスペースに入力用ブレーカ１０が１つ取り付けられている。取付板６７に取り付けられた入力用ブレーカ１０には、入力用ブレーカ１０の２次側端子１２に電気的に接続される接続端子を備えた変換アダプタ８０が取り付けられている。変換アダプタ８０には３極のネジ式端子台８１が設けられている。ネジ式端子台８１が備える各極のネジ端子は、変換アダプタ８０に接続された入力用ブレーカ１０の１次側端子１１に電気的に接続されている。
【００２８】
取付台６５の右側には、２つの入力用ブレーカ１０が上下方向に並べて取付可能な第１取付スペース６５１が設けられている。取付台６５の左側には、別の２つの入力用ブレーカ１０が上下方向に並べて取付可能な第２取付スペース６５２が設けられている。また、取付台６５には、第１取付スペース６５１と第２取付スペース６５２との間に第１導電部材４０が取り付けられている。なお、取付台６５に取り付けられる入力用ブレーカ１０の数は４つに限定されず、入力用ブレーカ１０の数に合わせて取付台６５の大きさが変更されればよい。
【００２９】
第１導電部材４０は、図２及び図３に示すように、Ｌ１相に接続される導電バー４１と、Ｌ２相に接続される導電バー４２と、中性線に接続される導電バー４３とを有している。
【００３０】
導電バー４１は平面視の形状が細長い矩形状に形成された金属板であり、導電バー４１の長手方向における両端部には貫通孔４１４が設けられている。導電バー４１は、長手方向が支持板６４の短手方向とほぼ平行し、かつ、導電バー４３の右側に位置するように取付台６５の前面に置かれ、貫通孔４１４に通したネジ７１を取付台６５のネジ穴にねじ込むことによって取付台６５に固定される。導電バー４１の左側縁には、導電バー４１の左側縁から突出する部位をほぼ直角に折り曲げることによって、前方に突出する突出部４１３が複数箇所（図３では６箇所）に設けられている。各突出部４１３には接続端子４１１，４１２が設けられている。接続端子４１１（第１接続部）は、突出部４１３から右側に突出し、第１取付スペース６５１に取り付けられる入力用ブレーカ１０の挿入溝１５に挿入される。接続端子４１１は、入力用ブレーカ１０が備える３箇所の挿入溝１５のうち、最も後側（取付台６５に近い側）に位置する挿入溝１５に挿入可能な高さ位置に設けられ、挿入溝１５に臨むように配置された２次側端子１２に電気的に接続される。接続端子４１２（第２接続部）は、突出部４１３から左側に突出し、第２取付スペース６５２に取り付けられる入力用ブレーカ１０の挿入溝１５に挿入される。接続端子４１２は、入力用ブレーカ１０が備える３箇所の挿入溝１５のうち、前後方向の中央に位置する挿入溝１５に挿入可能な高さ位置に設けられ、挿入溝１５に臨むように配置された２次側端子１２に電気的に接続される。
【００３１】
導電バー４２は平面視の形状が細長い矩形状に形成された金属板であり、導電バー４２の長手方向における両端部には貫通孔４２４が設けられている。導電バー４２は、長手方向が支持板６４の短手方向とほぼ平行し、かつ、導電バー４３の左側に位置するように取付台６５の前面に置かれ、貫通孔４２４に通したネジ７１を取付台６５のネジ穴にねじ込むことによって取付台６５に固定される。導電バー４２の右側縁には、導電バー４１の左側縁から突出する部位をほぼ直角に折り曲げることによって、前方に突出する突出部４１３が複数箇所（図３では６箇所）に設けられている。各突出部４２３には接続端子４２１，４２２が設けられている。接続端子４２１（第１接続部）は、突出部４２３から右側に突出し、第１取付スペース６５１に取り付けられる入力用ブレーカ１０の挿入溝１５に挿入される。接続端子４２１は、入力用ブレーカ１０が備える３箇所の挿入溝１５のうち、前後方向の中央に位置する挿入溝１５に挿入可能な高さ位置に設けられ、挿入溝１５に臨むように配置された２次側端子１２に電気的に接続される。接続端子４２２（第２接続部）は、突出部４２３から左側に突出し、第２取付スペース６５２に取り付けられる入力用ブレーカ１０の挿入溝１５に挿入される。接続端子４２２は、入力用ブレーカ１０が備える３箇所の挿入溝１５のうち、最も後側（取付台６５に近い側）に位置する挿入溝１５に挿入可能な高さ位置に設けられ、挿入溝１５に臨むように配置された２次側端子１２に電気的に接続される。
【００３２】
導電バー４３は、平面視の形状が細長い矩形状に形成された金属板であり、長手方向における両側の端部４３１が長手方向における中間部４３２よりも後側に位置するように、中間部４３２と端部４３１との間でＺ形に曲げられている。導電バー４３の両側の端部４３１には貫通孔４３３がそれぞれ設けられている。取付台６５の左右方向における中央部には、前方に突出する柱状部６５３が、上下両側にそれぞれ設けられている（図４参照）。導電バー４３は、柱状部６５３の先端面に端部４３１が置かれた状態で、貫通孔４３３に通したネジ７１を柱状部６５３のネジ穴にねじ込むことで、上下両側にある柱状部６５３の間に架け渡されるようにして取付台６５に固定される。導電バー４３の中間部４３２は、第１取付スペース６５１及び第２取付スペース６５２に取り付けられる入力用ブレーカ１０の３箇所の挿入溝１５のうち、最も前側の（取付台６５から最も遠い位置にある）挿入溝１５に挿入可能な高さ位置に配置されている。したがって、導電バー４３の中間部４３２の右端部は、第１取付スペース６５１に取り付けられる入力用ブレーカ１０の挿入溝１５に挿入され、中間部４３２の左端部は、第２取付スペース６５２に取り付けられる入力用ブレーカ１０の挿入溝１５に挿入される。ここにおいて、第１取付スペース６５１に取り付けられた入力用ブレーカ１０の挿入溝１５に挿入される中間部４３２の右端部が第１接続部となる。また、第２取付スペース６５２に取り付けられた入力用ブレーカ１０の挿入溝１５に挿入される中間部４３２の左端部が第２接続部となる。
【００３３】
したがって、第１取付スペース６５１に取り付けられる入力用ブレーカ１０では、最も後側にある挿入溝１５に導電バー４１の接続端子４１１が挿入され、前後方向の中間位置にある挿入溝１５に導電バー４２の接続端子４２１が挿入される。また、第２取付スペース６５２に取り付けられる入力用ブレーカ１０では、最も後側の挿入溝１５に導電バー４２の接続端子４２２が挿入され、前後方向の中間位置にある挿入溝１５に導電バー４１の接続端子４１２が挿入される。また、第１取付スペース６５１及び第２取付スペース６５２にそれぞれ取り付けられる入力用ブレーカ１０では、最も前側にある挿入溝１５に導電バー４３の中間部４３２が挿入される。なお本実施形態では、分散型電源１００から集電箱１にＡＣ２００Ｖの交流電力が入力されるので、分散型電源１００に接続された入力用ブレーカ１０では、Ｌ１相及びＬ２相に対応した１次側端子１１にＡＣ２００Ｖの交流電力が入力される。したがって、分散型電源１００から入力用ブレーカ１０を介してＬ１相の導電バー４１とＬ２相の導電バー４２とにＡＣ２００Ｖの交流電力が入力されることになる。なお、第１取付スペース６５１に取り付けられる入力用ブレーカ１０は、ケース１４の長手方向が左右方向とほぼ平行になり、かつ、１次側端子１１が右側に配置されるようにして取付台６５に取り付けられる。また、第２取付スペース６５２に取り付けられる入力用ブレーカ１０は、ケース１４の長手方向が左右方向とほぼ平行になり、かつ、１次側端子１１が左側に配置されるようにして取付台６５に取り付けられる。
【００３４】
次に、第２導電部材５０について図２、図４〜図６を参照して説明する。第２導電部材５０は、Ｌ１相に接続される導電バー５１と、Ｌ２相に接続される導電バー５２と、中性線に接続される導電バー５３とを有している。
【００３５】
導電バー５１は、金属板を加工して形成されており、平面視の形状がＺ字形に形成された主部５１２と、主部５１２の一端側（下端側）をクランク状に折り曲げることによって主部５１２との間に僅かな段差が設けられた端子部５１１とを有する。主部５１２の一端側に設けられた端子部５１１は、出力用ブレーカ２０が有するＬ１相の１次側端子２１（本実施形態では右端のネジ端子）に接続される。主部５１２の他端側の端部は、取付台６５の前面において柱状部６５３の右側に配置される導電バー４１の一端（下側端）に重ねて配置され、ネジ７１を用いて導電バー４１と一緒に取付台６５にネジ固定される（図４参照）。これにより、Ｌ１相の導電バー４１と導電バー５１とが電気的に接続される。
【００３６】
導電バー５２は、金属板を加工して形成されており、平面視の形状がＺ字形に形成された主部５２１と、主部５２１の一端側（上端側）をクランク状に折り曲げることによって主部５２１との間に僅かな段差が設けられた端子部５２２とを有する。主部５２１の他端側（下側）の端部は、出力用ブレーカ２０が有するＬ２相の１次側端子２１（本実施形態では左端のネジ端子）に接続される。主部５２１の一端側に設けられた端子部５２２は、取付台６５の前面において柱状部６５３の左側に配置されるＬ２相の導電バー４２の一端（下側端）に重ねて配置され、ネジ７１を用いて導電バー４２と一緒に取付台６５にネジ固定される（図４参照）。これにより、Ｌ２相の導電バー４２と導電バー５２とが電気的に接続される。
【００３７】
本実施形態では、取付台６５に取り付けられた導電バー４１，４２の前面と、出力用ブレーカ２０が有する１次側端子２１の前面との間に僅かな高低差が存在する。この高低差を吸収するために、導電バー５１，５２はそれぞれ中間部でクランク状に折り曲げられている（図５及び図６参照）。
【００３８】
導電バー５３は、金属板を加工して形成されており、第１端子部５３１と主部５３２と第２端子部５３３とを有している。主部５３２は平面視の形状がＺ字形に形成されている。主部５３２の一端側（下端側）には端子部５３１が設けられ、主部５３２の他端側（上端側）には端子部５３３が設けられている。端子部５３１は、主部５３２の一端側から突出する部位をクランク状に折り曲げることによって形成されており、端子部５３１と主部５３２とがほぼ平行し、かつ、端子部５３１と主部５３２との間に段差が設けられている。この端子部５３１は、出力用ブレーカ２０が有する中性線用の１次側端子２１（本実施形態では中央のネジ端子）に接続される。端子部５３３は、主部５３２の他端側から突出する部位をクランク状に折り曲げることによって形成されており、端子部５３３と主部５３２とがほぼ平行し、かつ、端子部５３３と主部５３２との間に段差が設けられている。端子部５３３は、柱状部６５３の前側に配置される中性線用の導電バー４３に重ねて配置され、ネジ７１を用いて導電バー４３と一緒に取付台６５にネジ固定される（図４及び図５参照）。これにより、中性線用の導電バー４３と導電バー５３とが電気的に接続される。本実施形態では、施工状態において、柱状部６５３の前面が、出力用ブレーカ２０が有する１次側端子２１の前面よりも前側に位置しているので、端子部５３３が端子部５３１よりも前側に配置されるように、導電バー５３の両端がクランク状に曲げられている。
【００３９】
また、図２に示すように、開口６８からキャビネット６０の内部を見た場合に、中性線に接続される導電バー５３が導電バー５１の一部及び導電バー５２の一部とそれぞれ重なるように、導電バー５１〜５３がキャビネット６０の内部に収納されている。また、図５及び図６に示すように、導電バー５３が導電バー５１，５２よりも開口６８に近い位置に配置されるように、導電バー５１〜５３がキャビネット６０の内部に配置されている。
【００４０】
本実施形態では、分散型電源１００から入力用ブレーカ１０にＡＣ２００Ｖの交流電力が入力されるから、Ｌ１相の導電バー５１とＬ２相の導電バー５２とにＡＣ２００Ｖの交流電力が入力され、中性線に接続される導電バー５３には電流が流れない。そして、導電バー５３が導電バー５１，５２よりも開口６８に近い位置に配置され、導電バー５３によって導電バー５１，５２の一部が覆われているから、電圧線に接続される導電バー５１，５２に触れにくくなり、安全性が向上する。
【００４１】
また、中性線に接続される導電バー５３は、Ｌ１相に接続される導電バー５１と、Ｌ２相に接続される導電バー５２との間に位置するように、導電バー５１〜５３がキャビネット６０の内部に配置されている（図２参照）。本実施形態では、前方から見て、中性線に接続される導電バー５３の左右に、Ｌ１相に接続される導電バー５１と、Ｌ２相に接続される導電バー５２とが配置されている。そして、導電バー５１，５２の間に配置される導電バー５３が、導電バー５１，５２よりも開口６８に近い位置に配置されるから、導電バー５３の両側に位置する導電バー５１，５２に触れにくくなり、安全性が向上する。
【００４２】
また、取付板６７に取り付けられた入力用ブレーカ１０の２次側端子１２は、変換アダプタ８０のネジ式端子台８１が有する各極のネジ端子に電気的に接続されている。ネジ式端子台８１が有する３極のネジ端子のうち、Ｌ１相のネジ端子には電線８２の一端が接続され、電線８２の他端は導電バー５１に接続されている。ネジ式端子台８１が有する３極のネジ端子のうち、Ｌ２相のネジ端子には電線８３の一端が接続され、電線８３の他端は導電バー５２に接続されている。ネジ式端子台８１が有する３極のネジ端子のうち、中性極のネジ端子には電線８４の一端が接続され、電線８４の他端は導電バー５３に接続されている。したがって、取付板６７に取り付けられる入力用ブレーカ１０の２次側端子１２も変換アダプタ８０と電線８２〜８４を介して導電バー５１〜５３に電気的に接続されることになる。
【００４３】
したがって、複数台の入力用ブレーカ１０の２次側端子１２が導電部材３０を介して出力用ブレーカ２０の１次側端子２１に電気的に接続される。よって、複数の分散型電源１００から入力用ブレーカ１０に入力される交流電力を集約して、出力用ブレーカ２０から外部に出力することができる。
【００４４】
本実施形態の集電箱１において、図７及び図８に示すように、開口６８からキャビネット６０の内部を見た場合に、導電バー５１〜５３の各々を部分的に覆うカバー９０を更に備えてもよい。
【００４５】
カバー９０は例えば合成樹脂の成型品であり、図９に示すように、主部９１と、一対の脚部９２とを一体に備えている。主部９１は、横長の長方形部分の長辺からほぼ半円形の突出部が突出するような形状に平面視の形状が形成されている。主部９１の長方形部分の長手方向における両端部にはそれぞれ脚部９２が連結されている。脚部９２は、主部９１との境界部分で折り曲げられることによって、主部９１とほぼ直交する方向に突出する（図８参照）。主部９１とほぼ直交する方向に脚部９２を折り曲げることによって、カバー９０は下側から見た形状がＵ形に形成され、脚部９２の先端の爪９３を例えば取付台６５に結合させることで、カバー９０が取付台６５に取り付けられる。図７に示すように開口６８からキャビネット６０の内部を見た場合に、取付台６５に取り付けられたカバー９０で、導電バー５１，５２，５３がそれぞれ部分的に覆われているから、導電バー５１，５２，５３に触れにくくなり、安全性が向上する。なお、開口６８からキャビネット６０の内部を見た場合に、取付台６５に取り付けられたカバー９０で、導電バー５１，５２，５３を全体的に覆ってもよく、安全性が更に向上する。
【００４６】
以上説明したように、本実施形態の集電箱１は、複数の入力用ブレーカ１０と、出力用ブレーカ２０と、導電バー（第２導電部材５０）と、キャビネット６０とを備える。複数の入力用ブレーカ１０の各々は、それぞれ対応する交流電源（分散型電源１００）から交流電力が入力される。導電バー（第２導電部材５０）は、複数の入力用ブレーカ１０の各々が有する２次側端子１２と出力用ブレーカ２０が有する１次側端子２１との間に電気的に接続される。キャビネット６０は、前面が開口した箱型であって内部に複数の入力用ブレーカ１０と出力用ブレーカ２０と導電バーとを収納する。導電バーは、単相３線式配線のＬ１相の電圧線に接続される第１導電バー（導電バー５１）と、単相３線式配線のＬ２相の電圧線に接続される第２導電バー（導電バー５２）と、単相３線式配線の中性線に接続される第３導電バー（導電バー５３）とを含む。開口６８からキャビネット６０の内部を見た場合に、第３導電バーが、第１導電バーの一部及び第２導電バーの一部とそれぞれ重なるように、導電バーがキャビネット６０の内部に配置される。さらに、開口６８からキャビネット６０の内部を見た場合に、第３導電バーが、第１導電バー及び第２導電バーよりも開口６８に近い位置に配置されるように、導電バーがキャビネット６０の内部に配置される。
【００４７】
第３導電バーが第１導電バー及び第２導電バーよりも開口６８に近い位置に配置され、第３導電バーによって第１導電バーの一部及び第２導電バーの一部が覆われるから、電圧線に接続される第１導電バー、第２導電バーに触れにくくなり、安全性が向上する。
【００４８】
また、開口６８からキャビネット６０の内部を見た場合に、第１導電バー（導電バー５１）と第２導電バー（導電バー５２）の間に第３導電バー（導電バー５３）が位置するように、導電バー（第２導電部材５０）がキャビネット６０の内部に配置されてもよい。
【００４９】
第１導電バーと第２導電バーとの間に位置する第３導電バーが、第１導電バー及び第２導電バーよりも開口６８に近い位置に配置されるから、電圧線に接続される第１導電バー、第２導電バーに触れにくくなり、安全性が更に向上する。
【００５０】
また、開口６８からキャビネット６０の内部を見た場合に、第１導電バー（導電バー５１）、第２導電バー（導電バー５２）及び第３導電バー（導電バー５３）の各々を部分的又は全体的に覆うカバー９０を更に備えてもよい。
【００５１】
カバー９０が第１導電バー、第２導電バー及び第３導電バーの各々を覆うことによって、電圧線に接続される第１導電バー、第２導電バーに触れにくくなるから、安全性が更に向上する。
【００５２】
上記の実施形態では、分散型電源１００として、太陽電池モジュール１０１で発電された直流電力を交流電力に変換して出力するような電源を例示しているが、分散型電源１００は太陽電池モジュール１０１を備えた電源に限定されない。分散型電源１００は、例えば燃料電池や風力発電システムなどで発電された電力を出力する電源でもよい。
【符号の説明】
【００５３】
１  集電箱
１０  入力用ブレーカ
１１  １次側端子
１２  ２次側端子
２０  出力用ブレーカ
２１  １次側端子
２２  ２次側端子
３０  導電部材
４０  第１導電部材
５０  第２導電部材（導電バー）
５１  導電バー（第１導電バー）
５２  導電バー（第２導電バー）
５３  導電バー（第３導電バー）
６０  キャビネット
６８  開口
９０  カバー
【図１】
0006635364.tif 000002
【図２】
0006635364.tif 000003
【図３】
0006635364.tif 000004
【図４】
0006635364.tif 000005
【図５】
0006635364.tif 000006
【図６】
0006635364.tif 000007
【図７】
0006635364.tif 000008
【図８】
0006635364.tif 000009
【図９】
0006635364.tif 000010